(57)【要約】【課題】洗浄時に、石鹸液等が周囲に飛び散りにくくすると共に、タオル製造過程の時間短縮を図り、さらに効率よく背中の凹部等を含む全体をむらなく洗うことを可能にする。【解決手段】タオル両端部を輪の状態に、又、タオル縁部を鈍角にするため、石鹸液等が集中しにくく、周囲への飛散が少なくなり、浴室の掃除が楽になり、さらにタオル製造過程の時間短縮につながる。また、タオルに埋設された両把持部を外側へ引っ張れば、タオル生地表面が膨出し、上下左右に背中にこすり合わせれば、膨出部分が背中の凹部と接触し、タオル平坦部は背中の平坦部や脇腹まで接触し、むらなくきれいに効率よく汚れを洗い落とすことが出来る。【選択図】図１
2008000573.tif 000002
【特許請求の範囲】
【請求項１】
略長方形の少なくとも２枚のタオル生地を重ね合わせて、該タオル生地の幅方向に所定間隔で長手方向一端側所定位置より他端側所定位置まで縫い合わせることにより複数の縫合部を設け、該タオル生地の間に長手方向に延びて開口する複数の隙間を設けたタオル本体と、
該タオル本体の一端側所定位置の開口から各隙間内に紐状体の両端部を該タオル本体の長手方向の中央より他端側所定位置まで挿入して該両端部を該タオル本体に固定することにより略Ｕ字状に配置された第Ｉ把持部と、該タオル本体の他端側所定位置の開口から前記各隙間と異なる隙間内に紐状体の両端部を該タオル長手方向の中央より一端側所定位置まで挿入して該両端部を該タオル本体に固定することにより略Ｕ字状に配置された第２把持部とを備え、
第Ｉ把持部の両端部が挿入された一端側所定位置の２箇所の開口近傍位置に、タオル本体の幅方向に、ストッパーとなる別の紐状体１本が置かれ、該ストッパーの両端部と第１把持部の長尺片部との接点を固定し、さらに第２把持部の両端部が挿入された他端側所定位置の２箇所の開口近傍位置に、タオル本体幅方向にストッパーとなる別の紐状体１本が置かれ、該ストッパーの両端と第２把持部の長尺片部との接点を固定し、該タオル本体長手方向両端の近傍位置にタオル幅方向に所定の長さで該第１把持部、第２把持部の内側を位置として該タオル本体の重ね合わされた生地を縫合することを特徴とするタオル。
【請求項２】
前記請求項１に記載のタオルにおいて、四隅を直線に切り欠いたことを特徴とするタオル。
【発明の詳細な説明】
【技術分野】
【０００１】  本発明はタオルに関するものである。
【背景技術】
【０００２】  私は、タオルにおいて、四隅を曲線状に切り欠いた略長方形の少なくても２枚のタオル生地を重ね合わせて、タオル生地の幅方向に所定間隔で長手方向に縫い合わせることにより複数の縫合部を設け、タオル生地の間に長手方向に延びて両端に開口する複数の隙間を設けたタオル本体と、
タオル本体の一端側の２箇所の開口から各隙間内に紐状体の両端部をタオル本体の長手方向の中央より他端側寄りの所定位置まで挿入して該両端部をタオル本体に固定することにより略Ｕ字状に配置された第１把持部と、
該タオル本体の他端側の２箇所の開口から各隙間と異なる隙間内に紐状体の両端部を該タオル本体の長手方向の中央より一端側寄りの所定位置まで挿入して該両端部を該タオル本体に固定することにより略Ｕ字状に配置された第２把持部を持つことを備えたたことを特徴とするタオルを発明した。【０００３】
【特許文献１】  特願平１０−１６４１９１
【発明の開示】
【発明が開示しようとする課題】
【０００４】  上記タオルにおいて、両把持部をそれぞれタオル本体長手方向の外側へ引っ張った場合、同時に第１、第２把持部の両端部の間のタオル生地は長手方向の中央に寄せ集められ塊となり、タオル生地の表面から膨張し、膨張部分が背中の凹んだ部分に接触し、凹部を含む全体をむらなく洗うが、背中を洗う時両把持部を持ち、上下左右へとタオルを動かすためさらに外側へ引っ張ることになり、上記塊はさらに硬くなり、肌への接触が硬く感じる。また、両把持部両端部固定位置よりタオル本体一端側、および他端側のタオル生地の平坦部の一部は両把持部の動きから取り残され、肌に張り付き、両把持部、膨張部分と同じ動きをしないため、平坦部分の背中の肌への摩擦力を落とし、タオル全体での背中の汚れを落とす能力が充分と言えない。さらにタオル製造段階において、タオル４隅を曲線状に切り欠き、少なくても２枚重ねて縫合するには高度な技術が必要となり、タオル製作時間も余分に必要となる。
【課題を解決するための手段】
【０００５】  上記課題を解決するため、請求項１においては、略長方形の少なくとも２枚のタオル生地を重ね合わせて、該タオル生地の幅方向に所定間隔で長手方向一端側所定位置より他端側所定位置まで縫い合わせることにより複数の縫合部を設け、該タオル生地の間に長手方向に延びて開口する複数の隙間を設けたタオル本体と、
該タオル本体の一端側所定位置の２箇所の開口から各隙間内に紐状体の両端部を該タオル本体の長手方向の中央より他端側所定位置まで挿入し該両端部を該タオル本体と固定することにより略Ｕ字状に配置された第１把持部と、該タオル本体の他端側所定位置の２箇所の開口から前記各隙間と異なる隙間内に紐状体の両端部を該タオル長手方向の中央より一端側所定位置まで挿入して該両端部を該タオル本体に固定することにより略Ｕ字状に配置された第２把持部とを備え、
第１把持部の両端部が挿入された、一端側所定位置の２箇所の開口近傍位置にタオル幅方向にストッパーとなる別の紐状体１本を置き、該ストッパーの両端部と第１把持部の長尺片部との接点を固定し、さらに第２把持部の両端部が挿入された他端側所定位置の２箇所の開口部近傍位置に、タオル幅方向にストッパーとなる別の紐状体を１本置き、該ストッパーの両端部と第２把持部の長尺片部との接点を固定し、
該タオル本体長手方向両端の近傍位置にタオル幅方向に所定の長さで、該第１把持部、第２把持部の内側を位置として該タオル本体の重ねあわされた生地を縫合することを特徴とするタオルを提案することにある。
【０００６】  また、請求項２に記載されたタオルにおいては、請求項１に記載されたタオルの４隅を直線状に切り欠くことを特徴とするタオルを提案することにある。
【発明の効果】
【０００７】  請求項１のタオルにおいて、第１把持部の挿入されたタオル本体長手方向一端側所定位置にある開口近傍位置にタオル幅方向に用意したストッパーの両端部と、第１把持部長尺片部との接点を固定し、一端側近傍位置、タオル幅方向に第１把持部の内側を位置に重ねられたタオル生地を縫合したことにより、また、第２把持部の挿入された、タオル本体長手方向他端側所定位置にある開口２箇所近傍位置にタオル幅方向に別に用意されたストッパーの両端部と、第２把持部長尺片部の接点とを固定し、タオル長手方向他端部近傍位置に、タオル幅方向に第２把持部の内側を位置として重ねられたタオル生地を縫合することにより、両把持部をタオル長手方向外側へ引っ張った場合、両把持部長尺片部に固定されたそれぞれの該ストッパーは、タオル本体長手方向両端近傍でのタオル幅方向の縫合箇所で止まり、同時に両把持部の両端部間のタオル生地は、タオル長手方向中央へ寄せ集められ適度に波打ち、タオル生地表面が膨張するが、膨張の頂点と頂点の間は適度のゆとりが作られる。上記のことで膨張部分は背中の凹部に接触し汚れをきれいに落とすが、肌への感触はソフトになる。
また、同時に出来るタオル長手方向、両端側の生地の平坦部分もタオル本体両端部近傍の幅方向の縫合位置で止まり、該両把持部の上下左右の動きに合わせて動き、背中の平坦部や、脇腹をきれいに洗い、タオル全面での洗浄効果をさらに増すことが出来る。
【０００８】  尚、タオル本体、長手方向両端部は輪の状態であるため角がなく、石鹸液などの集中が少なく、使用中の石鹸液などの飛散はしにくく、浴槽の中の湯を濁し、浴室の壁を汚すことが少ないため、浴室の掃除が非常に楽である。
【０００９】  また請求項２のタオルにおいて、請求項１で記載されたタオルの４隅を直線状に切り欠くことを特徴とし、このことにより、タオル製造時の難しい曲線の縫合にかかる技術と時間を省くものであり、またタオルのデザインとしては、斬新でありタオルを選ぶときの選択肢を増やすものであり、商品価値が上がる。
石鹸液の飛散については、四隅を直線に切り欠くと、直線両サイドの角度は直角より広くなり、石鹸液等の集まりは直角より少なく、石鹸液の飛散は少ない。よって浴槽の湯を濁し、浴室の壁に石鹸液等を飛散させることが少なく浴室の掃除が非常に楽である。
【発明を実施するための最良の形態】
【００１０】  以下、本発明の実施形態について図面を用いて説明すると、図１に示すようにタオル生地１を２枚重ね合わせたもので、幅方向の両側を含んで等間隔で長手方向一端側所定位置から他端側所定位置まで縫い合わされた５本の縫合部５を設けており、タオル生地１の間には、長手方向に延びてタオル生地１の一端部側所定位置、他端部側所定位置に開口する４つの隙間６が設けられている。隙間６は、タオル幅方向、図の上方向から順に第Ｉ隙間６Ａ、第２隙間６Ｂ、第３隙間６Ｃ、第４隙間６Ｄとなっている。【００１１】  タオル内部には、帯状で略Ｕ字形の第１把持部１７が埋設されている。第１把持部１７は、１対の長尺片部７が、タオル一端部３側所定位置の開口から第１隙間６Ａおよび第３隙間６Ｃの内部に挿入されて先端部８が長手方向中央から他端部４側所定位置に位置すると共に、両長尺片部７の一端を連結する連結片部１４が一端部３側の開口近傍に位置し、両長尺片部７の先端部８がタオル生地１に縫い付けられている。【００１２】  また、タオルの内部には、帯状で略Ｕ字形の第２把持部１８が埋設されている。第２把持部１８は、一対の長尺片部１９が、タオル他端部４側の開口から第２隙間６Ｂ及び第４隙間６Ｄの内部に挿入されて先端部９が長手方向中央から一端部３側の所定位置に位置するとともに両長尺片部１９の一端を連結する連結片部１５が他端部４側の開口近傍に位置し、両長尺片部１９の先端部９がタオル生地１に縫い付けられている。【００１３】  さらに上記第１把持部において、両長尺片部７上のタオル一端部３側所定位置の第１隙間６Ａ、第３隙間６Ｃの開口近傍と、タオル本体幅方向に別に用意されたストッパー１０の両端部との接点を固定し、また第２把持部において、両長尺片部１９上のタオル他端部４側所定位置の第２隙間６Ｂ、第４隙間６Ｄの開口近傍と、タオル幅方向に別に用意されたストッパー１１の両端部とを固定し、その上、タオル長手方向の両端近傍位置でタオル幅方向に所定の長さで、上記両把持部の内側を位置として、重ねあわされたタオル生地の縫合部１２、１３を設ける。【００１４】  以上のように構成した実施形態においては、第１把持部１７の連結片部１４及び第２把持部１８の連結片部１５をそれぞれ長手方向の外側へ引っ張った場合、第１把持部１７の両先端部の８はタオル本体の一端部３側へ引っ張られるとともに第２把持部１８の両端部９はタオル本体他端部４側に引っ張られる。これにより、それぞれの両先端部８、９の間のタオル生地１は図２に示すように、長手方向の中央に寄せ集められ波打ってタオル生地１の表面から膨出し、膨出部分１６を形成する。同時に両把持部連結片部７、１９上に固定されたストッパー１０、１１は、タオル長手方向両端部近傍位置のタオル幅方向に設けられた縫合部１２、１３で移動がストップする。このことで、膨出部分１６の頂点と頂点の間はそれ以上狭められることなく適度のゆとりが作られ、膨出部分が硬い塊になることを防ぎ、肌への感触はソフトになる。また、タオル長手方向の両端側の平坦部分２０、２１も両把持部の動きと同一の動きをすることになり、該平坦部分２０、２１が両把持部の動きから取り残されることが無くなる。上記の状態でタオルを背中の上��左右方向に移動させて擦り合わせることにより、膨出部分１６が背中の凹んだ部分に接触する。そのため背中の凹んだ部分を含む全体の汚れを、同時にタオル平坦部２０、２１は背中やわき腹の平坦部の汚れを落とし、タオル全体での洗浄効果をより高めるものである。【００１５】  次に、図３で示すように、タオル本体１の４隅の縁部２を直線状に切り欠くものであり、この直線状２２の両端には２つの角２３、２４が出来るがそれぞれの角は直角より広くなり石鹸液などの集中は直角より集中しにくく、周囲への飛散もしにくい。曲線状から直線状に変えることによりタオル製作時の難しい曲線の縫合にかかる技術と時間を省くことが出来る。【００１６】  以上の実施形態に示したタオルについては、各把持部、また２箇所の別の紐状体を帯状としているが、これに限らず、紐状等にしてもよく、各把持部の連結片部の配置についても、タオル内部でなく外部に設けても良い。又、把持部の素材としては特にこだわらないが、水に強く表面が滑らかな生地を用いることで、把持部の引っ張りやタオル内部への収納を円滑に行うことが出来る。
【図面の簡単な説明】
【００１７】
【図１】請求項１のタオルの実施形態を示す平面図である。
【図２】同タオルの使用例を示す平面図である。
【図３】請求項２のタオルの実施形態を示す平面図である
【符号の説明】
【００１８】１・・・タオル、２・・・縁部、３・・・一端部、４・・・他端部、５・・・縫合部、６・・・隙間、６Ａ・・・第１隙間、６Ｂ・・・第２隙間、６Ｃ・・・第３隙間、６Ｄ・・・第４隙間、７・・・長尺片部、８、９・・・先端部、１０、１１・・・ストッパー、１２、１３・・・縫合部、１４、１５・・・連結片部、１６・・・膨出部分、１７・・・第１把持部、１８・・・第２把持部、１９・・・長尺片部、２０、２１・・・平坦部、２２・・・縁部、２３、２４・・・縁部角。
【図１】
2008000573.tif 000003
【図２】
2008000573.tif 000004
【図３】
2008000573.tif 000005